(57)【特許請求の範囲】
【請求項１】
第１織編組織及び第２織編組織を用いて形成された織編物であり、
元となる多値画像の少なくとも一部に対してディザリング処理を施して二値化領域を形成した処理後画像に基づき、
前記二値化領域のうち、一方の値の領域が前記第１織編組織で形成され、他方の値の領域が前記第２織編組織で形成され、
前記第１織編組織及び前記第２織編組織によって、前記二値化領域に連続した諧調が形成されており、
前記処理後画像は、任意の一値によって表された一値領域を有し、
前記一値領域が、前記第１織編組織及び前記第２織編組織と異なる他の織編組織で形成されていることを特徴とする織編物。
【請求項２】
前記第１織編組織と前記第２織編組織とは、組織の構成又は構成糸が異なる請求項１に記載の織編物。
【請求項３】
車両用内装材の表皮層である請求項１又は２に記載の織編物。
【請求項４】
請求項１又は２に記載の織編物の製造方法であって、
前記元となる多値画像の少なくとも一部に対して、前記ディザリング処理を施して、前記二値化領域を形成するディザリング処理工程と、
前記二値化領域のうち、前記一方の値の領域を前記第１織編組織で形成し、前記他方の値の領域を前記第２織編組織で形成して、前記第１織編組織及び前記第２織編組織によって、前記二値化領域に連続した諧調を形成する織編工程と、を備えることを特徴とする織編物の製造方法。
【発明の詳細な説明】
【技術分野】
【０００１】
本発明は織編物及びその製造方法に関する。更に詳しくは、連続した諧調が形成された諧調領域を有する織編物及びその製造方法に関する。
に関する。
【背景技術】
【０００２】
織編物に意匠を施す方法としては、染色によって意匠を施す方法、プリントによって意匠を施す方法、更には、色や光沢等の特性が異なった糸を用いて織編することで生地自体に意匠を施す方法等が知られており、従来、これらの方法は広く利用されている。しかしながら、意匠のなかでも、諧調を有する意匠を施すことは、その他の意匠を施すのに比べて技術的困難を伴う。
例えば、スクリーン奈染によって諧調を有する意匠を施す方法は、下記特許文献１に開示される。即ち、特定の解像度の二次元データを用いてスクリーン奈染することによって、意匠細部の塗りつぶれを防ぎ、解像度不足による意匠のぼやけを抑制して奈染できることが開示されている。しかしながら、織編によって諧調を有する意匠を施す方法については開示がない。
【先行技術文献】
【特許文献】
【０００３】
【特許文献１】特開平２０１３−２４９５６４号公報
【発明の概要】
【発明が解決しようとする課題】
【０００４】
従来、織編物において諧調表現を行う場合、下記の様な方法を採用することができた。例えば、経糸（黒色）及び緯糸（白色）の出現率が異なる７種の素組織（２ａ〜２ｇの８枚朱子組織、図７参照）を用意する。この７種の素組織（２ａ〜２ｇの８枚朱子組織）は、素組織２ａから素組織２ｇへ向かって経糸（黒色）の出現率が次第に低下する一方、素組織２ａから素組織２ｇへ向かって緯糸（白色）の出現率が次第に上昇する組織となっている。次いで、隣り合って順次に色の濃度が変化するよう調製されたストライプ（９０ａ〜９０ｇ）を有する画像９０を用意する。
この７つのストライプのうちの一端のストライプ９０ａから他端のストライプ９０ｇへ向かって、素組織２ａから素組織２ｇまでを順に当て嵌め、その情報を基に製織し、織物９１（シミュレーション）を得る。この様にして得られた織物９１は、その一端から他端へ向かって、ストライプの色の濃度が７段回で次第に変化する意匠を有することになる。この意匠は、ある程度離れて鑑賞する場合や、ストライプ幅が狭く形成されている場合や、諧調幅が狭い場合等には、色の濃度が連続的に変化しているように見せることができ、疑似的な諧調表現として利用される。
【０００５】
しかしながら、織物９１の意匠は、各ストライプが同じ素組織で一様に形成され、これらのストライプ境界で素組織が切り替えられている。そのため、実際には、濃度変化は非連続である。従って、例えば、ストライプ幅が大きい場合、柄全体が大きい場合、施す意匠の面積が大きい場合、諧調幅が広い場合等には、連続した濃度変化として視認させることが困難となってしまうという問題がある。即ち、小さな意匠や狭い濃淡幅では疑似的な諧調表現を行うことができるものの、大きな意匠での諧調表現や幅広い諧調における表現は困難となってしまう。
また、同様に、設定できる素組織数が少ない場合も諧調表現を行うことが困難となってしまう。即ち、上述の例のように、８枚朱子組織を採用した場合には、第１の素組織２ａから第７の素組織２ｇまで７段階の素組織として濃度差を形成できる。しかしながら、５枚朱子組織を用いた場合には、例えば、４段階の素組織しか形成できない等のように、８枚朱子組織よりも少ない濃度差しか設定できなくなる。従って、より精細な諧調表現を行うためには、より多くの濃度差の段階を形成する必要を生じ、織組織の選択の自由度が小さくなってしまうという問題がある。
【０００６】
このように、疑似的な諧調表現では、適用できる範囲が限られ、設計の自由度を十分に上げることができないという問題がある。
本発明は、上述の従来の状況に鑑みてなされた発明であり、２種類の織編組織によって連続した諧調を形成できる織編物及びその製造方法を提供することを目的とする。
【課題を解決するための手段】
【０００７】
本発明は以下のとおりである。
１．請求項１に記載の織編物は、第１織編組織及び第２織編組織を用いて形成された織編物であり、
元となる多値画像の少なくとも一部に対してディザリング処理を施して二値化領域を形成した処理後画像に基づき、
前記二値化領域のうち、一方の値の領域が前記第１織編組織で形成され、他方の値の領域が前記第２織編組織で形成され、
前記第１織編組織及び前記第２織編組織によって、前記二値化領域に連続した諧調が形成されており、
前記処理後画像は、任意の一値によって表された一値領域を有し、
前記一値領域が、前記第１織編組織及び前記第２織編組織と異なる他の織編組織で形成されていることを要旨とする。
２．請求項２に記載の織編物は、請求項１に記載の織編物において、前記第１織編組織と前記第２織編組織とは、組織の構成又は構成糸が異なることを要旨とする。
３．請求項３に記載の織編物は、請求項１又は２に記載の織編物において、車両用内装材の表皮層であることを要旨とする。
４．請求項４に記載の織編物の製造方法は、請求項１又は２に記載の織編物の製造方法であって、
前記元となる多値画像の少なくとも一部に対して、前記ディザリング処理を施して、前記二値化領域を形成するディザリング処理工程と、
前記二値化領域のうち、前記一方の値の領域を前記第１織編組織で形成し、前記他方の値の領域を前記第２織編組織で形成して、前記第１織編組織及び前記第２織編組織によって、前記二値化領域に連続した諧調を形成する織編工程と、を備えることを要旨とする。
【発明の効果】
【０００８】
本発明の織編物によれば、ディザリング処理を利用することで、２種類の織編組織によって連続した諧調を形成できる。即ち、色、明度及び柄等の要素が一端側から他端側へ向かって連続的に変化するグラデーションを形成できる。
また、第１織編組織と第２織編組織とで、組織及び構成糸のうちのいずれかが異なる場合には、これらが異ならない場合に比べてグラデーションの一端と他端における差異をより明確に表現できる。
本発明の織編物が車両用内装材の表皮層である場合には、車内装飾として連続した諧調表現を利用できる。特に、搭乗者の役割及び着座位置等に適した異なる複数の意匠を連続的に変化させて配置できる。
本発明の織編物の製造方法によれば、ディザリング処理を利用することで、２種類の織編組織によって連続した諧調を形成した織編物を簡便に製造できる。
【図面の簡単な説明】
【０００９】
本発明について、本発明による典型的な実施形態の非限定的な例を挙げ、言及された複数の図面を参照しつつ以下の詳細な記述にて更に説明するが、同様の参照符号は図面のいくつかの図を通して同様の部位を示す。尚、各図のカラー図面を本出願と同日付けで、物件提出書により提出した。
【図１】本発明の織編物の一例（実施例１）を説明する説明図である。
【図２】本発明の織編物の他例（実施例３）を説明する説明図である。
【図３】本発明の織編物の他例（実施例４）を説明する説明図である。
【図４】本発明の織編物の他例（実施例５）の織組織を説明する説明図である。
【図５】本発明の織編物の他例（実施例５）を説明する説明図である。
【図６】本発明の織編物の他例（実施例６）の各部における組織の様子を示す説明図である。
【図７】従来の疑似的な諧調表現を説明する説明図である。
【発明を実施するための形態】
【００１０】
以下、図を参照しながら、本発明を詳しく説明する。
ここで示される事項は例示的なもの及び本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１１】
織編物は、第１織編組織及び第２織編組織を用いて形成された織編物である。更に、元となる多値画像の少なくとも一部に対してディザリング処理を施して二値化領域を形成した処理後画像に基づいて形成された織編物である。そして、処理後画像の二値化領域のうち、一方の値の領域が第１織編組織で形成され、他方の値の領域が第２織編組織で形成され、これら第１織編組織及び第２織編組織によって、二値化領域に連続した諧調が形成されている。即ち、本発明の織編物によれば、２種の織編組織によって連続した諧調（グラデーション）を表現することができる。
【００１２】
ここで、連続した諧調（以下、単に「グラデーション」ともいう）とは、無段階に要素（色、柄の明確度、光沢等）が変化する様子を表わす。即ち、前述のように従来の手法では、図７に示すような９０ａから９０ｇへ向かって７段階に要素（図７の場合の要素とは明度である）を変化させることができるが、このような要素の切り変わりの閾値が存在しないグラデーションを意味する。
グラデーションをなす要素としては、色（色合い、色の明度）、柄の明確度（はっきりした柄模様が次第に不明確となるようなグラデーション等）、光沢（光沢感が連続的に変化するグラデーション等）、凸凹（凹凸感が連続的に変化するグラデーション）等が挙げられる。これらの要素は、１種のみを用いてもよく２種以上を併用してもよい。
【００１３】
上記織編物とは、織組織及び／又は編組織を用いて形成された布帛である。このうち、織組織は、経糸及び緯糸を用いて形成された織りパターンである。織組織の種類は特に限定されず、適宜必要な織組織を利用できる。織組織としては、例えば、平織組織、綾織組織及び朱子織組織の三原組織、及びこれらの各組織の変形組織、更には、これらの組織に分類されない他の組織が挙げられる。これらの織組織は１種のみを用いてもよく２種以上を併用してもよい。
一方、編組織は、編糸を用いて形成された編みパターンである。編組織の種類は特に限定されず、適宜必要な編組織を利用できる。編組織としては、例えば、緯編及び経編が挙げられる。これらの編組織は１種のみを用いてもよく２種以上を併用してもよい。更に、織組織及び編組織（以下、これらを併せて単に「組織」ともいう）は、一連の織編物内において、これらのうちの一方のみを用いてもよく、両方を併用してもよい。
【００１４】
第１織編組織及び第２織編組織は、本織編物を構成する組織であり、本織編物にグラデーションを付与する組織である。当然ながら、本発明の織編物は、第１織編組織及び第２織編組織以外の他の組織（第３織編組織、第４織編組織等）を含むこともできるが、グラデーションは、これらの第１織編組織及び第２織編組織のみで形成される。グラデーションを２種の組織のみで形成することで干渉縞（モアレ）の発生を抑制できる。
【００１５】
これら第１織編組織と第２織編組織とは、異なる組織である。具体的には、組織の構成、構成糸、力学的特性、染色性の特性等のうちの少なくとも１種が異なる組織である。
このうち、組織の構成が異なるとは、例えば、経緯が異なる場合（第１織編組織が経朱子組織である場合に第２織編組織が緯朱子組織である場合等）、組織の変形が異なる場合（第１織編組織が正朱子組織である場合に第２織編組織が変形朱子組織である場合等）、完全組織を構成する糸数が異なる場合（第１織編組織が８枚朱子組織である場合に第２織編組織が５枚朱子組織である場合等）、組織の種類が異なる場合（第１織編組織が朱子組織である場合に第２織編組織が平組織である場合等）などの態様が挙げられる。これらの差異は１種のみを用いてもよく２種以上を併用してもよい。
また、構成糸が異なるとは、例えば、糸の色が異なる場合、糸の繊度が異なる場合、モノフィラメント又はマルチフィラメント等の糸の構成が異なる場合、糸の材質が異なる場合、糸の光沢度が異なる場合、糸の撚り（撚数及び／又は撚り方向）が異なる場合、糸の断面形状が異なる場合などの態様が挙げられる。これらの差異は１種のみを用いてもよく２種以上を併用してもよい。
更に、力学特性が異なるとは、例えば、伸縮復元率（ＪＩＳ  Ｌ１０１３−２０１１，８．１２）、伸び率（ＪＩＳ  Ｌ１０１３−２０１１，８．５．１）、熱水寸法変化率（ＪＩＳ  Ｌ１０１３−２０１１，８．１８．１（ｂ））等が異なる場合が挙げられる。これらの差異は１種のみを用いてもよく２種以上を併用してもよい。
【００１６】
更に、本発明の織編物は、元となる多値画像の少なくとも一部に対してディザリング処理を施して二値化領域を形成した処理後画像に基づいて形成された織編物である。
元となる多値画像とは、二値を超える値から構成された画像である。即ち、例えば、グレースケール画像や、フルカラー画像等が挙げられる。そして、後述のように、結果的に二値化した領域に対して、第１織編組織及び第２織編組織を当て嵌めることでグラデーションが形成されることから、元となる多値画像には多値によるグラデーションが含まれている。
更に、ディザリング処理を施すことで、多値画像は処理後画像へ変換される。ディザリング処理を施す領域は、多値画像の全体であってもよく、多値画像の一部であってもよい。更に、本発明では、ディザリング処理を施すことによって二値化された領域を二値化領域とよぶ。即ち、処理後画像は、ディザリング処理によって二値化された二値化領域を有する画像である。
【００１７】
ディザリング処理は、どのような種類のディザリング法を用いてもよい。即ち、独立閾値決定法を用いてもよく、条件付き閾値決定法を用いてもよい。また、必要に応じてこれらは１種のみを用いてもよく２種以上を併用してもよい。
このうち、独立閾値決定法は、処理を行う周辺の画素の２値化の影響を考慮することなく、独立して閾値を決定するディザリング法である。独立閾値決定法としては、ランダムディザ法及び組織ディザ法等が挙げられる。これらのなかでは、組織ディザ法が好ましく、更には、バイヤー（Ｂａｙｅｒ）行列を用いた組織ディザ法、又は、ボイド・アンド・クラスター（ｖｏｉｄ−ａｎｄ−ｃｌｕｓｔｅｒ）行列を用いた組織ディザ法が好ましい。これらのディザリング法を用いることで、干渉縞（モアレ）の発生を抑制できる。
【００１８】
一方、条件付き閾値決定法は、処理を行う周辺の画素の２値化の影響を考慮して閾値を変化させるディザリング法である。条件付き閾値決定法としては、平均値制限法、平均誤差最小法及び誤差拡散法等が挙げられる。
これらの独立閾値決定法及び条件付き閾値決定法のうちでは、条件付き閾値決定法が好ましく、更には、条件付き閾値決定法のなかでも誤差拡散法がより好ましい。誤差拡散法を用いることで、干渉縞（モアレ）の発生を抑制できる。
【００１９】
更に、誤差拡散法はどのような種類を用いてもよい。即ち、誤差拡散の分配率が異なる様々な誤差拡散法の中から適宜の選択を行うことができる。この誤差拡散法としては、フロイド・スタインバーグ法（Ｆｌｏｙｄ−Ｓｔｅｉｎｂｅｒｇ）、ジャービス・ジュディ・ニンク法（Ｊａｒｖｉｓ−Ｊｕｄｉ−Ｎｉｎｋｅ）、シュトゥッキ法（Ｓｔｕｃｋｉ）、シエラ法（Ｓｉｅｒｒａ）、スティーブンソン・アーチ法（Ｓｔｅｖｅｎｓｏｎ−Ａｒｃｈｅ）、バーク法（Ｂｕｒｋ）、アトキンソン法（Ａｔｋｉｎｓｏｎ）等が挙げられる。
【００２０】
これらの適宜のディザリング処理により得られた処理後画像には、前述のように二値化領域が形成される。即ち、二値によって形成された画像領域が得られる。
そして、本織編組織では、この二値化領域のうち、一方の値の領域（以下、単に「第１値領域」ともいう）が第１織編組織で形成され、他方の値の領域（以下、単に「第２値領域」ともいう）が第２織編組織で形成されている。これら第１織編組織及び第２織編組織によって、二値化領域にグラデーションが形成される。
この際、二値化領域を構成する画素に対して、第１織編組織又は第２織編組織を１つ以上対応させることができる。即ち、二値化領域のうちの第１値領域が第１織編組織で形成されている場合、第１値領域を構成する１つの画素に対して、第１織編組織は１つのみを対応させてもよく、４つ（２×２）を対応させてもよく、９つ（３×３）を対応させてもよい。これらのなかでは、第１値領域を構成する１つの画素に対して組織は１つのみを対応させることが好ましい。同様に、第２値領域を構成する１つの画素に対して組織は１つのみを対応させることが好ましい。
【００２１】
また、処理後画像は、全ての領域を二値化領域とすることができる。具体的には、後述する実施例１（図１の画像１２−Ａ参照）に示す形態が挙げられる。
更に、処理後画像は、任意の一値によって表された一値領域を有することができる。そして、一値領域が、第１織編組織又は第２織編組織で形成された態様とすることができる。具体的には、後述する実施例３（図２の画像１７−Ｂ参照）に示す形態が挙げられる。
また、処理後画像は、任意の一値によって表された一値領域を有し、一値領域が、第１織編組織及び第２織編組織と異なる他の織編組織で形成された態様とすることができる。具体的には、後述する実施例５（図５の画像１７−Ｄ参照）に示す形態が挙げられる。
【００２２】
本発明の織編物は、様々な用途で利用できる。具体的には、車両用内装材や建築用インテリア用品等が挙げられる。このうち、車両用内装材としては、各種の表皮層としての利用が挙げられる。即ち、車両内インテリア部品やシートファブリック等が挙げられる。更に、車両内インテリア部品としては、天井部品、ピラー部品、コンソール部品等が挙げられる。ここで車両としては、乗用車、バス、トラック等の各種車両、鉄道車両、建設車両、農業車両、産業車両等の車両が挙げられる。一方、建築用インテリア用品としては、カーテン等が挙げられる。
【００２３】
また、本織編物は、織編物のみから構成されてもよいが、樹脂加工を施すことができる。樹脂加工を施すことにより、織編物のほつれを抑制でき、また、耐摩耗性を向上させることができる。樹脂加工としては、バックコーティング、グラビアコート、ラミネート等が挙げられ、これらは１種のみを用いてもよく２種以上を併用してもよい。これらのなかでは、バックコーティングが好ましい。バックコーティングは、非意匠面側に対するコーティングであり、通常、非意匠面側から浸透されて意匠面へ露出されない。樹脂加工を行う樹脂種は限定されず、アクリル樹脂、ポリウレタン樹脂、ポリアミド樹脂、ポリエステル樹脂、及び接着性を有するポリオレフィン樹脂（エチレン／アクリル酸共重合体、酸変性ポリエチレン樹脂等）などを用いることができる。これらは１種のみを用いてもよく２種以上を併用してもよい。
【００２４】
更に、本発明の織編物を車両用内装材の表皮層として利用する場合であって、特に車両用天井材として利用する場合には、表皮層（本織編物又はその樹脂加工品）以外に他層を備えることができる。具体的には、基材層を備えることができる。また、その他、弾性層を備えることができる。弾性層を備える場合には、基材層、弾性層及び表皮層の順で備えることができる。
【００２５】
基材層は、表皮層等の他層に対して支持層となる層である。基材層は、どのような材質から構成されてもよいが、例えば、繊維質多孔材、硬質発泡材、硬質発泡材と不織布との複合材等を用いることができる。
このうち、繊維質多孔材としては、ガラス繊維、ＰＥＴ繊維、植物性繊維等の硬質繊維を熱可塑性樹脂により結着して得られた材料が挙げられる。また、硬質発泡材としては、ポリウレタン樹脂等の熱硬化性樹脂を発泡させた材料が挙げられる。更に、硬質発泡材と不織布との複合材としては、硬質発泡材の表裏のうちの少なくとも一方の面に、硬質繊維等を用いて形成された不織布を接合した複合材が挙げられる。これらの基材は、１種のみを用いてもよく２種以上を併用してもよい。
【００２６】
また、弾性層は、基材層と表皮層との間に介在される層である。弾性層を備えることで、表皮層側からの触感に対して弾力感を与えることができる。弾性層は、どのような材質から構成されてもよいが、例えば、軟質ポリウレタンフォームを用いることができる。その他、十分なクッション性を有する限り、他の軟質樹脂フォームや不織布シート等を用いることもできる。
【００２７】
本発明の織編物の製造方法は、前述の本織編物の製造方法である。この製造方法は、少なくとも、ディザリング処理工程と織編工程とを備える。このうち、ディザリング処理工程は、元となる多値画像の少なくとも一部に対して、ディザリング処理を施して二値化領域を形成する工程である。これらの詳細については前述の通りである。
また、織編工程は、二値化画像のうち、一方の値の領域を第１織編組織で形成し、他方の値の領域を第２織編組織で形成して、第１織編組織及び第２織編組織によって、二値化領域に連続した諧調を表現する工程である。これらの詳細についても前述の通りである。
【実施例】
【００２８】
以下、本発明を実施例により具体的に説明する。
〈１〉実施例１（明度及び光沢感のグラデーション１）
（１）元となる多値画像として、一端１１ａ側から他端１１ｂ側へ向かって濃度が連続的に変化する多値画像１１−Ａ（図１参照）を用意した。この多値画像１１−Ａは２５６諧調により表現されている。
（２）上記多値画像１１−Ａに対して、誤差拡散ディザリングによるディザリング処理を施して処理後画像１２−Ａを得た（図１参照）。この処理後画像１２−Ａは、その全面が二値化された二値化領域となっている。
【００２９】
（３）経糸に白色の糸、緯糸に黒色の糸を利用した８枚緯朱子組織２２１（図１参照）を用意した。そして、上記（２）で得られた処理後画像１２のうち、白部（一方の値の領域）を構成する１つの画素を１つの第１織組織として、１つの第１織組織に１つの８枚緯朱子組織２２１を当て嵌めて、画像１３−Ａを得た。
（４）更に、経糸に白色の糸、緯糸に黒色の糸を利用した８枚経朱子組織２１１（図１参照）を用意した。そして、上記（３）で得られた画像１３−Ａのうち、黒部（他方の値の領域）を構成する１つの画素を１つの第２織組織として、１つの第２織組織に１つの８枚経朱子組織２１１を当て嵌めて、画像１４−Ａを得た。
【００３０】
（５）上記（４）までに得られた画像１４−Ａの組織情報をジャガード織機に入力して製織を行った場合を想定したシミュレーションによって織物１９−Ａを得た。
得られた織物１９−Ａは、８枚緯朱子組織と８枚経朱子組織との２種の織組織によって、織物の一端１９ａ側から他端１９ｂ側へ向かって、明度が連続的に変化（白から黒へ連続的に変化）して、諧調（グラデーション）が表現された織物となった。
更に、この織物１９−Ａでは、上述の明度の諧調を有すると共に、緯朱子と経朱子との混在率が、織物の一端１９ａ側から他端１９ｂ側へ向かって連続的に変化することになるため、光沢感も連続した諧調（グラデーション）として表現される。
【００３１】
〈２〉実施例２（色のグラデーション）
（１）実施例１と同様に処理後画像（実施例１における画像１２−Ａと同様）を得た。
（２）経糸に白色の糸、緯糸に赤色の糸を利用した８枚緯朱子組織と、経糸に白色の糸、緯糸に緑色の糸を利用した８枚経朱子組織を用意した。
そして、上記（２）で得られた処理後画像１２−Ａのうち、白部（一方の値の領域）を構成する１つの画素を１つの第１織組織として、１つの第１織組織に１つの８枚緯朱子組織を当て嵌めた。更に、黒部（他方の値の領域）を構成する１つの画素を１つの第２織組織として、１つの第２織組織に１つの８枚経朱子組織を当て嵌めた画像を得た（実施例１における画像１４−Ａと同様）。
（３）上記（２）までに得られた画像の組織情報をジャガード織機に入力して製織を行った場合を想定したシミュレーションによって織物（実施例１における画像１９−Ａと同様）を得た。
得られた織物は、８枚緯朱子組織と８枚経朱子組織との２種の織組織によって、織物の一端側から他端側へ向かって、色が連続的に変化（赤から緑へ連続的に変化）して、色の諧調（グラデーション）が表現された織物となった。
更に、この織物では、上述の明度の諧調を有すると共に、緯朱子と経朱子との混在率が、織物の一端側から他端側へ向かって連続的に変化することになるため、光沢感も連続した諧調（グラデーション）として表現される。
【００３２】
〈３〉実施例３（明度及び光沢感のグラデーション２）
（１）実施例１と同様に、処理後画像１２−Ａのうち、白部（一方の値の領域）を構成する１つの画素に１つの８枚緯朱子組織２２１を当て嵌め、黒部（他方の値の領域）を構成する１つの画素に１つの８枚経朱子組織２１１を当て嵌めて、画像１４−Ａ（図１参照）を得た。
（２）更に、ｘ領域（ピンク色）、ｙ領域（緑色）及びｚ領域（青色）の３つの色領域に区分けされた画像１０−Ｂ（図２参照）を用意した。尚、画像１０−Ｂにおける色を用いた区分けは便宜的なものであって、色分けの有無及び色の種類等は限定されない。例えば、境界線を用いて区分けを行うこともできる。
上記（１）で得られた画像１４−Ａを、画像１０−Ｂのｘ領域に対してのみ当て嵌めて、画像１５−Ｂを得た。この画像１５−Ｂは、画像１５−Ｂの一端１５ａ側から他端１５ｂ側へ向かって、明度が連続的に変化することによって諧調（グラデーション）が表現された画像となっている。
【００３３】
（３）上記（２）で得られた画像１５−Ｂのうち、ｙ領域に対して８枚経朱子組織２１１のみを当て嵌めて、画像１６−Ｂを得た。
（４）更に、上記（４）で得られた画像１６−Ｂのうち、ｚ領域に対して８枚緯朱子組織２２１のみを当て嵌めて、画像１７−Ｂを得た。
即ち、得られた画像１７−Ｂは、元となる多値画像（画像１０−Ｂ）の一部であるｘ領域に対してディザリング処理を施して形成した二値化領域を有し、更に、任意の一値によって表された一値領域であるｙ領域及びｚ領域を有する。更に、画像１７−Ｂでは、一値領域のうちのｙ領域には第１織組織（８枚緯朱子組織２２１）が当て嵌められて、一値領域のうちのｚ領域には第２織組織（８枚経朱子組織２１１）が当て嵌められている。
【００３４】
（５）上記（４）までに得られた画像１７−Ｂの組織情報をジャガード織機に入力して製織を行った場合を想定したシミュレーションによって織物１９−Ｂを得た。
得られた織物１９−Ｂは、当初の画像１０−Ｂにおけるｘ領域で、８枚緯朱子組織と８枚経朱子組織との２種の織組織によって、織物の一端１９ａ側から他端１９ｂ側へ向かって、明度が連続的に変化（白から黒へ連続的に変化）して、諧調（グラデーション）が表現された織物となった。
更に、当初の画像１０−Ｂにおけるｙ領域は、８枚経朱子組織２１１のみによって形成されて、織物の一端１９ａ側においてｘ領域と同化する一方、織物の他端１９ｂ側においてｘ領域と識別できる意匠となった。
同様に、当初の画像１０−Ｂにおけるｚ領域は、８枚緯朱子組織２２１のみによって形成されて、織物の他端１９ｂ側においてｘ領域と同化する一方、織物の一端１９ａ側においてｘ領域と識別できる意匠となった。
更に、この織物１９−Ｂのｘ領域では、実施例１の織物１９−Ａと同様に、上述の色の諧調を有すると共に、緯朱子と経朱子との混在率が、織物の一端１９ａ側から他端１９ｂ側へ向かって連続的に変化することになるため、光沢感も連続した諧調（グラデーション）として表現される。
【００３５】
〈４〉実施例４（明度及び光沢感のグラデーション３）
（１）元となる多値画像として、フルカラー（２５６諧調）で表現された樹木写真１１−Ｃ（図３参照）を用意した。
（２）上記多値画像１１−Ｃに対して、誤差拡散ディザリングによるディザリング処理を施して処理後画像１２−Ｃを得た（図３参照）。この処理後画像１２−Ｃは、その全面が二値化された二値化領域となっている。
【００３６】
（３）経糸に黒色の糸、緯糸に白色の糸を利用した８枚緯朱子組織２２１（図３参照）を用意した。そして、上記（２）で得られた処理後画像１２−Ｃのうち、白部（一方の値の領域）を構成する１つの画素を１つの第１織組織として、１つの第１織組織に１つの８枚緯朱子組織２２１を当て嵌めた。
更に、経糸に白色の糸、緯糸に黒色の糸を利用した８枚経朱子組織２１１（図３参照）を用意した。そして、上記（２）で得られた処理後画像１２−Ｃのうち、黒部（他方の値の領域）を構成する１つの画素を１つの第２織組織として、１つの第２織組織に１つの８枚経朱子組織２１１を当て嵌めて、画像１４−Ｃを得た。
【００３７】
（４）上記（３）までに得られた画像１４−Ｃの組織情報をジャガード織機に入力して製織を行った場合を想定したシミュレーションによって織物１９−Ｃを得た。
得られた織物１９−Ｃは、８枚緯朱子組織と８枚経朱子組織との２種の織組織によって、元の多値画像１１−Ｃ内の諧調（グラデーション）が表現されて、写真画像の諧調感を織物で表現することができた。
【００３８】
〈５〉実施例５（柄及び立体感のグラデーション）
本実施例５の織物では、基本の織組織として図４に示す組織を用いた。この織組織は、高伸縮な経糸と、高伸縮な緯糸及び低伸縮な緯糸の２本の緯糸と、を併用することで、格子柄領域（Ｘ字の連続によって形成される格子柄、図４及び図５参照）とそれ以外のダイヤ柄（格子柄に区切られた各ダイヤ模様、図４及び図５参照）の領域とを相対的に浮き沈みさせ、これらの領域のいずれか一方の領域を他方の領域に対して立体化させることができる。即ち、例えば、（ａ）格子柄領域に対してダイヤ柄領域を浮き出させたり、（ｂ）格子柄領域をダイヤ柄領域に対して浮き出させることができる。
本実施例５では、上述のうち（ｂ）格子柄領域をダイヤ柄領域に対して浮き出させて立体化する場合（立体メッシュ柄）を説明する。この織物は、格子状の立体模様を有する織物となり、更に、その格子柄の立体感が一端側から他端側へ向かって連続的に明確になるように視認させることができる。即ち、柄及び立体感に連続的なグラデーションを付与することができる。
【００３９】
（１）実施例１と同様に、処理後画像１２−Ａのうち、白部（一方の値の領域）を構成する１つの画素に１つの８枚緯朱子組織２２１を当て嵌め、黒部（他方の値の領域）を構成する１つの画素に１つの８枚経朱子組織２１１を当て嵌めて、画像１４−Ａ（図１参照）を得た。
（２）更に、格子柄領域（図５の符号ｘ、赤色の領域）及びダイヤ柄領域（図５の符号ｙ、黄色の領域）の２つの領域に区分けされた画像１０−Ｄを用意した。尚、画像１０−Ｄにおける色を用いた区分けは便宜的なものであって、色分けの有無及び色の種類等は限定されない。例えば、境界線を用いて区分けを行うこともできる。
上記（１）で得られた画像１４−Ａを、画像１０−Ｄのｙ領域に対してのみ当て嵌める一方、画像１０−Ｄのｘ領域に対して図４に示す織組織のｘ領域（「Ｘ」字部分の組織）を当て嵌めて、画像１７−Ｄを得た。
即ち、得られた画像１７−Ｄは、元となる多値画像（画像１０−Ｄ）の一部であるｙ領域に対してディザリング処理を施して形成した二値化領域を有し、更に、任意の一値によって表された一値領域（ｘ領域）を有する。また、一値領域であるｘ領域には第１織組織（８枚緯朱子組織２２１）及び第２織組織（８枚経朱子組織２１１）のいずれでもない他の組織が当て嵌められている。
【００４０】
（３）上記（２）までに得られた画像１７−Ｄの組織情報をジャガード織機に入力して製織を行った場合を想定したシミュレーションによって織物１９−Ｄを得た。
織物１９−Ｄの作成にあたっては、構成糸として、高伸縮な経糸と、高伸縮な緯糸及び低伸縮な緯糸の２本の緯糸と、を併用した。但し、高伸縮又は低伸縮であるとは、低伸縮な緯糸に比較して、経糸及び他方の緯糸が相対的に高伸縮であることを意味する。また、高伸縮な経糸と高伸縮な緯糸とは、どちらがより高伸縮であるかを問わない。
【００４１】
上述の高伸縮経糸、高伸縮緯糸及び低伸縮緯糸の各３種の糸として下記の糸を利用した。
高伸縮経糸：単糸繊度８４ｄｔｅｘ且つ単糸数３６本のＰＥＴ製マルチフィラメント、酸化チタン含有量０．４質量％セミダル、伸縮復元率４５％、伸び率２５％であり、半延伸糸に仮撚り加工を施して捲縮させた捲縮糸である。
高伸縮緯糸：単糸繊度１６７ｄｔｅｘ且つ単糸数４８本のＰＥＴ製マルチフィラメント、酸化チタン含有量０．４質量％セミダル、伸縮復元率４８％、伸び率２５％であり、半延伸糸に仮撚り加工を施して捲縮させた捲縮糸である。
低伸縮緯糸：単糸繊度８４ｄｔｅｘ且つ単糸数３６本のＰＥＴ製マルチフィラメント、伸縮復元率０％、伸び率４０％であり、延伸糸である。
また、高伸縮緯糸及び低伸縮緯糸は、緯糸の全合計本数に対して、高伸縮緯糸の本数が５０％、低伸縮緯糸の本数が５０％となるように用いた。
尚、伸縮復元率は、ＪＩＳ  Ｌ１０１３−２０１１，８．１２に規定された伸縮復元率である。また、伸び率は、ＪＩＳ  Ｌ１０１３−２０１１，８．５．１に規定された標準時試験によって測定される値である。この際の試験機には定速伸長計を用い、つまみ間隔は２００ｍｍとし、伸長速度は２００ｍｍ／分とした。
【００４２】
得られた織物１９−Ｄは、ｘ領域の表側（意匠面）は経朱子組織（変形的な経朱子組織）で織られている（図５、図６の「１９ａ−表」及び「１９ｂ−表」参照）。その一方、ｘ領域の裏側（非意匠面）は、高伸縮緯糸が経糸と交錯しないようにされている（図４、図６の「１９ａ−裏」及び「１９ｂ−裏」参照）。このように、ｘ領域の表側で高伸縮経糸と低伸縮緯糸とが交錯されて縮み難く組織されているのに対して、ｘ領域の裏側は高伸縮緯糸が経糸と交錯しないため、高伸縮緯糸が縮みやすくなっている。従って、ｘ領域は裏側が縮んで表側を突出させ、意匠面においてｘ領域が浮き出るように立体的になっている。
【００４３】
一方、織物１９−Ｄのｙ領域は、表裏の区別がなく朱子組織（経朱子又は緯朱子）で織られている（図５、図６の「１９ａ−表」、「１９ｂ−表」、「１９ａ−裏」及び「１９ｂ−裏」参照）。そのため、経糸と緯糸とが交錯されており、ｘ領域の表側と同様に、縮み難い性質の組織となっている。
また、このｙ領域は、前述（１）のように、緯朱子組織及び経朱子組織を用いて形成されている。そして、ディザリング処理を施された処理後画像１２（図１参照）のうち、白部が緯朱子組織で形成され、黒部が経朱子組織で形成されることで、明度が連続的に変化するグラデーションが表現されている。
【００４４】
更に、上述のように、織物１９−Ｄのｘ領域は経朱子組織で形成され、ｙ領域は、一端側（１９ａ側）で経朱子組織が多くなるように形成される一方、他端側（１９ｂ側）へ向かって連続的に緯朱子組織が多くなるように形成されている。従って、一端側（１９ａ側）では、ｘ領域及びｙ領域の両領域とも経朱子組織で形成されて光沢の向きが揃っているが、他端側（１９ｂ側）へ向かうに従って、連続的に、ｙ領域が緯朱子組織で形成される割合が多くなり、光沢の向きが９０度異なることになる。このため、他端側（１９ｂ側）では一端側（１９ａ側）よりも格子柄が目立つように形成され、他端側（１９ｂ側）から一端側（１９ａ側）へ向かって次第に格子柄が目立たないように形成された。
【００４５】
この織物１９−Ｄの様に、一端側と他端側とで柄がグラデーションとなって表現されて、柄の明確度合に差異がある織物は、前述のように、例えば、車両用内装材の表皮層として利用することができる。その場合、織物１９−Ｄは、どのように利用してもよいが、例えば、運転席エリアが他エリアに比べて無地に近くなるように利用することができる。具体的には、織物１９−Ｄは、他端側（１９ｂ側）が一端側（１９ａ側）に比べて格子柄が目立つように形成されている。そのため、織物１９−Ｄの一端側（１９ａ側）が運転席側に配置され、織物１９−Ｄの他端側（１９ｂ側）が後部座側に配置されるようにして利用できる。
このように、織物に柄のグラデーションを施し、運転席エリアが他エリアに比べて無地に近くなるように柄を配置することによって、運転者にビジーな印象を与えることなく、後部席側の天井部に柄を施すことができる。しかも、後部席から見た場合に、前方へ向かって柄が次第に消滅するように視認させることができ、意匠として統一感が得られる。
【００４６】
尚、前述の記載は単に説明を目的とするものでしかなく、本発明を限定するものと解釈されるものではない。本発明を典型的な実施態様を挙げて説明したが、本発明の記述及び図示において使用された文言は、限定的な文言ではなく、説明的および例示的なものであると理解される。ここで詳述したように、その態様において本発明の範囲又は精神から逸脱することなく、添付の特許請求の範囲内で変更が可能である。ここでは、本発明の詳述に特定の構造、材料及び実施態様を参照したが、本発明をここにおける開示事項に限定することを意図するものではなく、寧ろ、本発明は添付の特許請求の範囲内における、機能的に同等の構造、方法、使用の全てに及ぶものとする。
尚、参考として、
１．織編物は、第１織編組織及び第２織編組織を用いて形成された織編物であり、
元となる多値画像の少なくとも一部に対してディザリング処理を施して二値化領域を形成した処理後画像に基づき、
前記二値化領域のうち、一方の値の領域が前記第１織編組織で形成され、他方の値の領域が前記第２織編組織で形成され、
前記第１織編組織及び前記第２織編組織によって、前記二値化領域に連続した諧調が形成されているものとすることができる。
２．上記１．の織編物において、前記第１織編組織と前記第２織編組織とは、組織の構成又は構成糸が異なることができる。
３．上記１．又は２．の織編物において、前記処理後画像は、全ての領域が二値化領域であることができる。
４．上記１．又は２．の織編物において、前記処理後画像は、任意の一値によって表された一値領域を有し、
前記一値領域が、前記第１織編組織又は前記第２織編組織で形成されていることができる。
５．上記１．又は２．に記載の織編物において、前記処理後画像は、任意の一値によって表された一値領域を有し、
前記一値領域が、前記第１織編組織及び前記第２織編組織と異なる他の織編組織で形成されていることができる。
６．上記１．乃至５．のうちのいずれかに記載の織編物において、車両用内装材の表皮層であることができる。
７．上記１．乃至６．のうちのいずれかに記載の織編物の製造方法であって、
前記元となる多値画像の少なくとも一部に対して、前記ディザリング処理を施して、前記二値化領域を形成するディザリング処理工程と、
前記二値化領域のうち、前記一方の値の領域を前記第１織編組織で形成し、前記他方の値の領域を前記第２織編組織で形成して、前記第１織編組織及び前記第２織編組織によって、前記二値化領域に連続した諧調を形成する織編工程と、を備えることができる。
【符号の説明】
【００４７】
１；織編物（織物、編物）、
１０−Ｂ、１０−Ｄ；多値画像、
１１−Ａ、１１−Ｃ；多値画像、
１２−Ａ、１２−Ｃ；処理後画像、
１９−Ａ、１９−Ｂ、１９−Ｃ、１９−Ｄ；織編物（シミュレーション織物）、
２１１、２１２；第１織編組織、２２１、２２２；第２織編組織。
【図１】
0006406017.tif 000002
【図２】
0006406017.tif 000003
【図３】
0006406017.tif 000004
【図４】
0006406017.tif 000005
【図５】
0006406017.tif 000006
【図６】
0006406017.tif 000007
【図７】
0006406017.tif 000008